(57)【要約】      （修正有）【課題】夜間や停電時や消灯時等のように周りが暗闇の状態においても、カーペット等の床用敷設材が敷設された床に案内経路等を長期にわたって適切に表示できるようにした床構造を提供する。【解決手段】床面１上に床用敷設材２を敷設させると共に、この床用敷設材の端部に沿ってガイド部材１０を床面上に設け、このガイド部材の上面部１３に設けられた凹部１４内に蓄光性部材１５を設けた。【選択図】図２
0003163880.tif 000002
【実用新案登録請求の範囲】
【請求項１】
床面上に床用敷設材が敷設されると共に、この床用敷設材の端部に沿ってガイド部材が床面上に設けられ、このガイド部材の上面部に設けられた凹部内に蓄光性部材が設けられていることを特徴とする床構造。
【請求項２】
請求項１に記載の床構造において、上記のガイド部材の上面部が床用敷設材の端部の上面を保持するように設けられていることを特徴とする床構造。
【請求項３】
請求項１又は請求項２に記載の段部の床構造において、上記のガイド部材の両側に床用敷設材が敷設され、ガイド部材の上面部が両側の床用敷設材の端部の上面を保持するように設けられていることを特徴とする床構造。
【請求項４】
請求項１〜請求項３の何れか１項に記載の床構造において、上記のガイド部材の底面部が床面上に取り付けられると共に、このガイド部材の底面部の上に床用敷設材の端部が敷設されていることを特徴とする床構造。
【請求項５】
請求項１〜請求項４の何れか１項に記載の床構造において、上記の床用敷設材がカーペットであることを特徴とする床構造。
【考案の詳細な説明】
【技術分野】
【０００１】
この考案は、床面上に床用敷設材が敷設された床構造に関するものであり、夜間や停電時や消灯時等のように周りが暗闇の状態においても、床用敷設材が敷設された床に案内経路等を長期にわたって適切に表示できるようにした点に特徴を有するものである。
【背景技術】
【０００２】
従来から、夜間や停電時や消灯時等のように周りが暗闇の状態になった場合に、床等の通路において案内経路等を表示するため、様々な提案が行われている。
【０００３】
例えば、特許文献１においては、巾木に蓄光材料を用いた蓄光層を一体に設けたものが提案されている。また、特許文献２においては、発光性表示プレートや階段用段差表示材や巾木材に、蓄光性の樹脂部を一体に設けたものが提案されている。また、特許文献３においては、蓄光剤等を含有させた誘導用テープを一体的に形成した建築用内装材を、床材、壁装材、巾木等に用いるようにしたものが提案されている。また、特許文献４においては、断面が略波型の誘導ライン本体の波の谷部分に誘導ライン本体の長さ方向に沿って蓄光性蛍光部を設けた誘導ラインを、階段の縁、壁、巾木の部分に設けるようにしたものが提案されている。
【０００４】
ここで、上記のような蓄光性部材を備えた部材を設ける場合、天井等に設けられた照明から照射された光が蓄光性部材に十分に吸収されるようにし、また蓄光性部材から出射される光を見えやすくする点からは、蓄光性部材を備えた部材を壁部分よりも床部分に設けることが有効であると考えられる。
【０００５】
また、上記の各特許文献に示されるものは、この蓄光性部材を備えた部材自体を、床材、壁装材、巾木等として利用するものであり、カーペット等の床用敷設材が敷設された床に設けるようにはなっておらず、カーペット等の床用敷設材が敷設された床に用いて案内経路等を表示させることは困難であった。
【先行技術文献】
【特許文献】
【０００６】
【特許文献１】特開２００４−１９１３４号公報
【特許文献２】特開２００２−８２６３８号公報
【特許文献３】特開２００７−１７０１００号公報
【特許文献４】特開２００８−１５２４２０号公報
【考案の開示】
【考案が解決しようとする課題】
【０００７】
この考案は、夜間や停電時や消灯時等のように周りが暗闇の状態において、カーペット等の床用敷設材が敷設された床に案内経路等を長期にわたって適切に表示できるようにすることを課題とするものである。
【課題を解決するための手段】
【０００８】
この考案に係る床構造においては、上記のような課題を解決するため、床面上に床用敷設材を敷設させると共に、この床用敷設材の端部に沿ってガイド部材を床面上に設け、このガイド部材の上面部に設けられた凹部内に蓄光性部材を設けるようにした。
【０００９】
ここで、上記のように蓄光性部材を凹部内に設けるにあたっては、蓄光剤を含有させた蓄光性テープを凹部内に貼着させるようにしたり、凹部内に蓄光性塗料を塗布させるようにしたり、蓄光材料を含む樹脂で構成された蓄光性の滑り止め部材を凹部内に設けるようにしたりすることができる。なお、蓄光性の滑り止め部材を凹部内に設ける場合には、この滑り止め部材を凹部内から少し突出するようにして設けることができる。
【００１０】
また、上記のように床用敷設材の端部に沿ってガイド部材を床面上に設けるにあたり、このガイド部材の上面部によって床用敷設材の端部の上面を保持させるようにすると、床用敷設材の端部の浮き上がり等が防止されて、床用敷設材が床面上に適切に敷設された状態で維持されるようになると共に、床用敷設材の端部とガイド部材との接合部分における隙間等が隠れ、床がきれいな状態で仕上がるようになる。また、ガイド部材の両側に床用敷設材を敷設される場合には、ガイド部材の上面部によって両側の床用敷設材の端部の上面を保持させるようにすることができる。
【００１１】
また、床用敷設材の端部に沿ってガイド部材を床面上に設けるにあたり、ガイド部材の底面部を床面上に取り付けると共に、このガイド部材の底面部の上に床用敷設材の端部を敷設させるようにすると、床用敷設材によりガイド部材が押さえられて、ガイド部材が床面上から外れるのが防止されるようになる。
【００１２】
なお、上記の床用敷設材の種類は特に限定されないが、この考案の床構造においては、床用敷設材に、蓄光剤を含有させた蓄光性テープを貼付させたり、蓄光剤を含有させた蓄光性塗料等を塗布させたりすることが困難であるカーペットを用いた場合に有効である。
【考案の効果】
【００１３】
この考案における床構造においては、床面上に敷設された床用敷設材の端部に沿ってガイド部材を床面上に設け、このガイド部材の上面部に設けられた凹部内に蓄光性部材を設けるようにしたため、蓄光性部材を壁部分等に設ける場合に比べて、天井等に設けられた照明から照射された光が、床面上に設けられたガイド部材の上面部における凹部内に収容された蓄光性部材に十分に吸収されるようになって、蓄光性部材における蓄光効率が高くなると共に、夜間や停電時や消灯時等のように周りが暗闇の状態において、この蓄光性部材から出射される光が見えやすくなる。
【００１４】
また、この考案においては、蓄光性部材をガイド部材の上面部における凹部内に設けているため、歩行等により蓄光性部材が摩耗して蓄光性能が大きく低下するのが防止され、例えば、凹部内に蓄光性テープを貼着させたり、蓄光性塗料を塗布させたりした場合には、この蓄光性テープや蓄光性塗料が剥がれたり、めくれあがったりするのが防止される。
【００１５】
この結果、この考案における床構造においては、夜間や停電時や消灯時等のように周りが暗闇の状態においても、カーペット等の床用敷設材が敷設された床に案内経路等を長期にわたって適切に表示できるようになる。
【図面の簡単な説明】
【００１６】
【図１】本考案の実施形態１における床構造に用いるガイド部材を示した部分斜視図である。
【図２】上記の実施形態１において、上記のガイド部材の両側にカーペットの端部を挟み込むようにして、床面の上にカーペットを敷設させた状態を示した概略断面説明図である。
【図３】上記の実施形態１の床構造に用いるガイド部材の変更例を示し、底面部の適当な位置に上方に突出した爪部を設けたガイド部材の概略側面図である。
【図４】本考案の実施形態２における床構造に用いるガイド部材を示した部分斜視図である。
【図５】上記の実施形態２において、壁面と反対側におけるガイド部材の片側にカーペットの端部を挟み込むようにして、床面の上にカーペットを敷設させた状態を示した概略断面説明図である。
【図６】上記の実施形態２において、傾斜部と反対側の部分に上方に延出された立ち上げ部が設けられた変更例のガイド部材を用い、壁面と反対側におけるガイド部材の片側にカーペットの端部を挟み込むようにして、カーペットを床面の上に敷設させた状態を示した概略断面説明図である。
【考案を実施するための最良の形態】
【００１７】
以下、この考案の実施形態に係る床構造を添付図面に基づいて具体的に説明する。なお、この考案に係る床構造は、特に下記の実施形態に示したものに限定されるものではなく、その要旨を変更しない範囲において適宜変更して実施できるものである。
【００１８】
（実施形態１）
実施形態１においては、図１に示すように、床面１に取り付ける底面部１１の中央部から支持部１１が上方に延出され、この支持部１１の上端に上面部１３が支持部１１の両側に延出して設けられると共に、この上面部１３の上面に設けられた凹部１４内に蓄光材を用いたシート状の蓄光性部材１５が収容された長尺状のガイド部材１０を用いるようにしている。
【００１９】
また、この実施形態１においては、床用敷設材２としてカーペット２を用いるようにしている。
【００２０】
そして、この実施形態１の床構造においては、図２に示すように、上記のガイド部材１０の底面部１１を床面１の上に取り付けると共に、このガイド部材１０の支持部１１の両側における底面部１１と上面部１３との間に、それぞれカーペット２の端部を挟み込むようにして、このガイド部材１０の両側において、カーペット２を床面１の上に敷設させるようにしている。
【００２１】
このようにすると、床面１の上に設けられたガイド部材１０の上面部１３における凹部１４内に収容された蓄光性部材１５に、天井（図示せず）等に取り付けられた照明（図示せず）から照射された光が十分に吸収されるようになって蓄光効率が高くなると共に、夜間や停電時や消灯時等のように周りが暗闇の状態において、この蓄光性部材１５から出射される光が見えやすくなり、またガイド部材１０の上面部１３における凹部１４内に収容された蓄光性部材１５が歩行等によって摩耗するのが防止されるようになる。
【００２２】
この結果、夜間や停電時や消灯時等のように周りが暗闇の状態においても、ガイド部材１０の上面部１３の凹部１４内に設けられた蓄光性部材１５によって案内経路等を長期にわたって適切に表示できるようになる。
【００２３】
また、上記のように凹部１４内に収容された蓄光性部材１５が歩行等によって摩耗するのをより一層防止するため、この蓄光性部材１５の上を、ポリカーボネイト樹脂等の樹脂でコーティングしたり、このような樹脂のカバー部材を装着させるようにしたりすることができる。
【００２４】
また、上記のようにしてガイド部材１０の両側にカーペット２を敷設させると、ガイド部材１０の底面部１１がその両側に敷設されたカーペット２によって押さえられ、ガイド部材１０が床面１から外れるのが防止されると共に、ガイド部材１０の両側に敷設されたカーペット２の端部が、ガイド部材１０の底面部１１と上面部１３との間に挟み込まれて保持されるようになり、カーペット２の端部が浮き上がったりするのが防止されて、両側のカーペット２が床面１の上に適切に敷設された状態で維持されるようになる。
【００２５】
また、ガイド部材１０の底面部１１と上面部１３との間において、カーペット２の端部がより強固に保持されるようにするため、図３に示すように、ガイド部材１０の底面部１１の適当な位置に、上方に突出した爪部１１ａを複数設け、この爪部１１ａをガイド部材１０の底面部１１に保持されるカーペット２の端部の下面に差し込むようにして、カーペット２の端部をガイド部材１０の底面部１１と上面部１３との間で保持させるようにすることもできる。
【００２６】
（実施形態２）
実施形態２においては、図４に示すように、床面１に取り付ける底面部１１と、上面に設けられた凹部１４内にシート状の蓄光性部材１５が収容された上面部１３とを分離できるようにしたガイド部材１０を用いるようにしている。
【００２７】
ここで、このガイド部材１０においては、上記の底面部１１の中央部より片側にずれた位置に、所要間隔を介した一対の支持部１２を上方に向けて設けると共に、この一対の支持部１２の上端にそれぞれ係止突起１２ａを対向するようにして設けている。一方、上記の上面部１３から下方に向けて、上記の一対の支持部１２の間に挿入させる一対の補助支持部１６を設けると共に、各補助支持部１６が上記の支持部１２と対向するそれぞれの面に上記の係止突起１２ａと係合するジグザグ状になった係合部１６ａを設け、さらにこの上面部１３の片側に下方に向けて傾斜した傾斜部１７を設けるようにしている。
【００２８】
そして、この実施形態２の床構造においては、図５に示すように、床面１と壁面３とが交差する角部における床面１の上に、上記の支持部１２と近い側の底面部１１の端部を壁面３と接触させるようにして、このガイド部材１０の底面部１１を床面１の上に取り付けると共に、上記の壁面３と支持部１２を挟んで反対側における底面部１１の上にカーペット２の端部を保持させるようにして、カーペット２を床面１の上に敷設させるようにしている。
【００２９】
その後、ガイド部材１０の上面部１３から下方に向けて傾斜した傾斜部１７が壁面３と反対側に位置するようにし、この傾斜部１７と反対側における上面部１３の端部が壁面３と接触するようにして、この上面部１３から下方に向けて設けられた一対の補助支持部１６を上記の一対の支持部１２の間に挿入させ、各補助支持部１６に設けられたジグザグ状になった係合部１６ａの適当な位置に各支持部１２に設けられた係止突起１２ａを係止させて、上面部１３から下方に向けて傾斜した傾斜部１７と底面部１１との間で上記のカーペット２の端部を保持させるようにしている。
【００３０】
なお、この実施形態２においては、傾斜部１７と反対側における上面部１３の端部を壁面３と接触させるようにしたが、図６に示すように、上記のガイド部材１０の上面部１３において、上記の傾斜部１７と反対側の部分に上方に延出された立ち上げ部１８を設け、この立ち上げ部１８を壁面３と接触させるようにして巾木として利用することもできる。
【００３１】
また、この実施形態２のガイド部材１０においても、上記の実施形態１の図３に示したガイド部材１０のように、ガイド部材１０の底面部１１の適当な位置に、上方に突出した爪部１１ａを複数設け、この爪部１１ａをガイド部材１０の底面部１１に保持されるカーペット２の端部の下面に差し込むようにして、カーペット２の端部をガイド部材１０の底面部１１と上面部１３との間で保持させるようにすることもできる。
【００３２】
また、上記の実施形態１のガイド部材１０においても、実施形態２のガイド部材１０のように、床面１に取り付ける底面部１１と、上面に設けられた凹部１４内に蓄光性部材１５を収容させた上面部１３とを分離させ、上面部１３から下方に向けて設けられた一対の補助支持部１６を底面部１１から上方に突出された一対の支持部１２の間に挿入させ、各補助支持部１６に設けられたジグザグ状になった係合部１６ａの適当な位置に各支持部１２に設けられた係止突起１２ａを係止させるようにすることもできる。
【００３３】
また、上記の実施形態１，２においては、床用敷設材２としてカーペット２を用いるようにしたが、床用敷設材２はカーペット２に限定されず、例えば、樹脂や木製のシート材等を用いることもできる。
【符号の説明】
【００３４】
１  床面
２  カーペット（床用敷設材）
３  壁面
１０  ガイド部材
１１  底面部
１１ａ  爪部
１２  支持部
１２ａ  係止突起
１３  上面部
１４  凹部
１５  蓄光性部材
１６  補助支持部
１６ａ  係合部
１７  傾斜部
１８  立ち上げ部
【図１】
0003163880.tif 000003
【図２】
0003163880.tif 000004
【図３】
0003163880.tif 000005
【図４】
0003163880.tif 000006
【図５】
0003163880.tif 000007
【図６】
0003163880.tif 000008